(57)【要約】【課題】換気量が制限される公衆トイレにおいて、設置場所の制約がなく、少ないエネルギーで、トイレ内空間の臭気レベルを、利用者が感じない程度まで低減できる消臭装置を提供する。【解決手段】下方に第一開口部を上方に第二開口部を有する筐体と、前記筐体内で前記第一開口部の近傍に配置された空気誘導手段と、前記筐体内で前記空気誘導手段の上方に配置された臭気物質吸着手段の複数で構成される臭気物質吸着領域を備える。小便器の近傍に配置され、前記第二開口部は、前記空気誘導手段により前記筐体の内部に生じた上昇気流を前記小便器から離れる方向に噴出する。【選択図】図１
2020195712.tif 000002
【特許請求の範囲】
【請求項１】
下方に第一開口部を上方に第二開口部を有する筐体と、前記筐体内で前記第一開口部の近傍に配置された空気誘導手段と、前記筐体内で前記空気誘導手段の上方に配置された臭気物質吸着手段の複数で構成される臭気物質吸着領域を備え、小便器の近傍に配置され、前記第二開口部は、前記空気誘導手段により前記筐体の内部に生じた上昇気流を前記小便器から離れる方向に噴出することを特徴とする消臭装置。
【請求項２】
前記筐体内で、前記臭気物質吸着領域から前記第二開口部に至る空気の流路に、流路面積を狭めて前記上昇気流を加速する絞り部を有する請求項１に記載の消臭装置。
【請求項３】
前記絞り部と前記第二開口部の間に、前記上昇気流を噴出させる方向に流れを変える屈曲部を有し、前記第二開口部は前記屈曲部と連続し前記筐体の側面上方に設けられ、前記第二開口部の開口上縁は上方に湾曲し、前記第二開口部の開口下縁は前記屈曲部の曲率より大きい曲率で下方に湾曲している請求項１又は２に記載の消臭装置。
【請求項４】
前記小便器が設けられた壁面に対し起立し前記小便器の利用者の側方に配置される請求項１、２又は３に記載の消臭装置
【発明の詳細な説明】
【技術分野】
【０００１】
本発明は、複数の利用者が同時に使用できる公衆トイレ内の空間を消臭するための消臭装置に関するものである。
【背景技術】
【０００２】
公衆トイレを、より快適に使用できる施設とするための様々な提案がなされている。例えば、特開平３−２７５８２６号公報には、臭気しながら室内温度を調整する手法として、トイレブースの乾燥構造が提案されている。
【０００３】
また、特開２０００−９６８５５公報には、一箇所の採光部によって室内換気と採光を効率よく行い得る公衆トイレが提案されている。
【先行技術文献】
【特許文献】
【０００４】
【特許文献１】特開平３−２７５８２６号公報
【特許文献２】特開２０００−９６８５５公報
【発明の開示】
【発明が解決しようとする課題】
【０００５】
近年、トイレ内空間には、より高い快適性が求められている。そして、トイレ内全体を、臭気が無く温湿度の調節された空間とすることが求められている。しかしながら、従来の技術により、公衆トイレ内全体の臭気レベルを、利用者が感じない程度まで低減するためには、大量の換気が必要となる。そのため、トイレ内全体の温湿度を所定の範囲に維持するためには、高い温湿度調整能力を有する大型の空調設備と多くのエネルギーを必要とし、設置場所に制約がある、或いは、コストを要するなどの問題があった。
【０００６】
また、公衆トイレが地下に設けられたものである場合、空気の流路の問題などから、換気量が制限され、トイレ内空間全体の臭気レベルを、利用者が感じない程度まで低減することは難しかった。
【０００７】
そこで、本発明は、換気量が制限される公衆トイレにおいて、設置場所の制約がなく、少ないエネルギーで、トイレ内空間の臭気レベルを、利用者が感じない程度まで低減できる消臭装置を提供することを目的とする。
【課題を解決するための手段】
【０００８】
本発明に係る消臭装置は、下方に第一開口部を上方に第二開口部を有する筐体と、前記筐体内で前記第一開口部の近傍に配置された空気誘導手段と、前記筐体内で前記空気誘導手段の上方に配置された臭気物質吸着手段の複数で構成される臭気物質吸着領域を備える。そして、小便器の近傍に配置され、前記第二開口部は、前記空気誘導手段により前記筐体の内部に生じた上昇気流を前記小便器から離れる方向に噴出する。
【０００９】
前記筐体内で、前記臭気物質吸着手段から前記第二開口部に至る空気の流路に、流路面積を狭めて前記上昇気流を加速する絞り部を有するものであってもよい。
【００１０】
前記絞り部と前記第二開口部の間に、前記上昇気流を噴出させる方向に流れを変える屈曲部を有し、前記第二開口部は前記屈曲部と連続し前記筐体の側面上方に設けられ、前記第二開口部の開口上縁は上方に湾曲し、前記第二開口部の開口下縁は前記屈曲部の曲率と異なる曲率で下方に湾曲しているものであってもよい。
【００１１】
前記小便器が設けられた壁面に対し起立し前記小便器の利用者の側方に配置されるものであってもよい。
【発明の効果】
【００１２】
本発明によれば、公衆トイレにおいて、利用者が感じる臭気の主な発生源と考えられる、利用者の体温により小便器から発生する上昇気流を、空気誘導手段により効率よく臭気物質吸着領域に誘導し、利用者が臭気を感じる高さに到達する前に臭気物質を除去することができる。
【００１３】
また、筐体の内部に生じた上昇気流を小便器から離れる方向に噴出させることにより、周囲の空気を巻き込んで気流を発生させ、筐体内部に導入されなかった空気中に残存する臭気物質を利用者から遠ざけることができる。
【００１４】
更に、小便器から発生する気流を誘導するための空気誘導手段は、小便器の近傍の小容量の空気を誘導するものであればよいため、エネルギー消費量を抑え、寸法も小さく抑えることができる。
【００１５】
従って、余裕のない限られた空間に設置し、少ないエネルギーで、トイレ内空間の臭気レベルを、利用者が感じない程度まで低減できる。
【図面の簡単な説明】
【００１６】
【図１】消臭装置の使用状態を示す斜視図である。
【図２】第二開口部の拡大断面図である。
【図３】第二開口部の他の実施形態の拡大断面図である。
【発明を実施するための形態】
【００１７】
図１を参照しながら、本発明に係る消臭装置の実施形態について説明する。
消臭装置１は、図１に示すように、小便器が設けられた壁面１０に対し起立し小便器の利用者１２の側方に配置される仕切り板１３の下方に設置して使用するものである。すなわち、小便器が設けられた壁面１１に対し起立した状態で小便器の利用者１２の側方に配置される。なお、図１において、説明の便宜上、消臭装置１の内部が示されているが、実際の使用状態では消臭装置１の内部は筐体２に覆われている。
【００１８】
筐体２の下側に配置される部位（底部）は、底面全体が開口し、筐体２の内部に空気を取り入れるための吸気口となる第一開口部２１となっている。また、筐体２の上側に配置される部位（頂部）は、頂面全体が開口し、筐体２の内側から外側に空気を噴出する第二開口部２２となっている。なお、第二開口部２２の上方に、仕切り板１３が配置された状態となっている。
【００１９】
筐体２の材質には、熱伝導率の低いものを採用することが好ましい。例えば、アルミなどの金属よりも、合成樹脂の方が好ましい。熱伝導率の低い材質を採用することにより、後述する電熱器３で発生させた熱の筐体２の外部への放射量を低減し、筐体２の内部で上昇気流を効率良く発生させることができる。
【００２０】
筐体２の側面の一部は、分離可能な蓋部とされ、蓋部を取り外すことにより、筐体２の内部に配置された部品の交換等が可能となっている。そして、筐体２の内部には、電熱器３及び触媒コア４が、着脱自在に配置されている。
【００２１】
電熱器３は、本発明の空気誘導手段に相当し、第一開口部２１の上方近傍に、第一開口部２１の長手方向に空気の流路となる間隔を空けて、複数並べて配置されている。
【００２２】
電熱器３は、筐体２の内部において、必要とされる上昇気流を発生させるものであれば制限はなく、使用環境に適した公知の発熱装置を採用することができる。なお、殺菌灯であれば、上昇気流の発生に加え除菌効果を得ることができ好ましい。また、殺菌灯を採用する場合は、開口寸法が５０ｍｍ×３００ｍｍの第一開口部２１に対し、１０Ｗの殺菌灯を３基使用することで必要な上昇気流を得ることができる。
【００２３】
触媒コア４は、本発明の臭気物質吸着手段に相当し、筐体２内部の電熱器３の上方に複数配置され、臭気物質吸着領域４１を構成している。
【００２４】
この実施形態において、触媒コア４には、通気性を有する素材で形成した箱体にマンガン触媒を充填したものが採用されている。ただし、触媒コア４は、必要な脱臭性能を備えるものであれば制限はない。筐体２の内部に発生する上昇気流の流速や、筐体２の横断面形状に起因する、臭気物質を含んだ空気との接触時間や接触面積を考慮し、公知の脱臭手段の中から最適なものを採用すればよい。
【００２５】
臭気物質吸着領域４１は、触媒コア４の複数を第一開口部２１の長手方向に空気の流路となる間隔を空けて配置した単位列を、筐体２の長手方向（鉛直方向）に複数並べ形成されたものとなっている。
【００２６】
更に、臭気物質吸着領域４１において、各単位列は、触媒コア４１の間隔が空気の流れる方向に重ならない配置とされている。そのため、第一開口部２１側（上流側）に配置された単位列の流路を通った空気は、第二開口部２２側（下流側）に配置された単位列の触媒コア４１に衝突し、触媒コア４１に充填されたマンガン触媒に接触する時間を長くとることが可能となっている。
【００２７】
臭気物質吸着領域４１から第二開口部２２に至る空気の流路には、流路面積を狭めて上昇気流を加速する絞り部２３が設けられている。そのため、電熱器３の熱で発生する上昇気流は、流速が高められた状態で噴出されることになり、コアンダ効果を高めるものとなっている。
【００２８】
この消臭装置１において、筐体２の内部では、電熱器３の熱により、第一開口部２１から筐体２の内部を経て第二開口部２２から噴出され消臭装置１の上方に至る気流が発生する。そのため、利用者の体温により小便器から発生した臭気物質を含む上昇気流は、第一開口部２１に引き込まれる。そして、第一開口部２１から引き込まれた空気に含まれる臭気物質は、吸着領域４１を通る間に空気から除去される。
【００２９】
更に、筐体２から噴出された空気は、仕切り板１３に沿って上昇するが、コアンダ効果により周囲の空気を巻き込んだ上昇気流を発生させるため、消臭装置１で吸着されずに残存した臭気物質を利用者から遠ざけることができる。
【００３０】
この実施形態において、第一開口部２１は筐体２の底部に設けられているが、第一開口部２１を設ける位置は筐体２の下方であれば、使用状況に応じて適宜変更でき、例えば、側面の下部に設けてもよい。
【００３１】
第二開口部２２も同様に、使用状況に応じて適宜変更でき、例えば、筐体２の、小便器に向けて配置される両側面の上方に設けてもよい。
【００３２】
なお、第二開口部２２を筐体２の側面上方に設ける場合、筐体２の内部において、上昇気流の流れを噴出させる方向に変えることが好ましい。図３に、上昇気流の流れが変えられる場合の実施形態を示す。なお、図３において、図１および図２に示す実施形態と実質的に同じ部位には同符号を付し、その説明を簡略化または省略する。
【００３３】
図３に示す実施形態では、絞り部２３の下流側に、絞り部２３に連続し、上昇気流を噴出させる方向に流れを変える屈曲部２４が設けられている。
【００３４】
絞り部２３及び屈曲部２４の形状は、電熱器３の性能、吸着領域４１の配置、消臭装置１の設置環境などを考慮し適宜決めることができるが、屈曲部２４の曲率は、空気の流速の低下を防ぐために、大きく緩やかにすることが好ましい。
【００３５】
第二開口部２２は、屈曲部２４の下流に位置し、第二開口部の開口上縁２２ａは上方に湾曲し、噴出した空気流を上方に導く形状とされている。また、第二開口部２２の開口下縁２２ｂは、屈曲部２４の曲率より大きい曲率で下方に湾曲し、噴出した空気流が筐体２の表面から剥離する形状とされている。
【００３６】
上記何れの実施形態においても、空気誘導手段として電熱器３を採用し、利用者１２の体温により小便器から発生する上昇気流を、熱の力で臭気物質吸着領域４１に誘導するものとなっている。ただし、小便器から発生する上昇気流を臭気物質吸着領域４１に効率よく誘導できるものであれば、その手法に制限は無い。例えば、小型のファンを採用し風の力で誘導してもよい。
【００３７】
また、上記何れの実施形態においても、消臭装置１を小便器の利用者１２の側方に配置することが想定されているが、利用者１２の体温により小便器から発生する上昇気流を臭気物質吸着領域４１に誘導でき、更に、筐体２内部に導入されなかった空気中に残存する臭気物質を利用者から遠ざけることができれば、消臭装置１の配置に制限はない。消臭装置１が設置される状況に応じて最適な配置とすればよい。例えば、小便器が設けられた壁面１１における小便器の間に配置してもよい。
【符号の説明】
【００３８】
１    消臭装置
２    筐体
３    電熱器
４    触媒コア
１１  小便器が設けられた壁面
１２  小便器の利用者
１３  仕切り板
２１  第一開口部
２２  第二開口部
２２ａ  上縁
２２ｂ  下縁
２３  絞り部
２４  屈曲部
４１  臭気物質吸着領域
【図１】
2020195712.tif 000003
【図２】
2020195712.tif 000004
【図３】
2020195712.tif 000005